【手続補正書】
【提出日】令和2年6月2日(2020.6.2)
【手続補正１】
【補正対象書類名】特許請求の範囲
【補正対象項目名】全文
【補正方法】変更
【補正の内容】
【特許請求の範囲】
【請求項１】
１人以上の人がテーブルで提供を受けるサービスの予約を受け付ける情報処理装置であって、
１人以上の人を含むグループが前記サービスの提供を受けることを予約する予約情報を受信する受信部と、
前記サービスの提供に利用される、順序付けられた第１のテーブル群と、前記第１のテーブル群に空きがある非混雑時には使用されず予備として扱われ前記第１のテーブル群に空きがない混雑時に使用される第２のテーブル群の情報を記憶する記憶部と、
前記受信部が前記予約情報を受信すると、受信した前記予約情報に基づいて、受信した前記予約情報を前記第１のテーブル群の各順位のテーブルに関連付け、
前記予約情報を関連付けられるテーブルが前記第１のテーブル群の中にない場合に、既存の複数の前記予約情報の関連付けを解除し、
前記第２のテーブル群から、前記受信した予約情報に含まれる予約人数で着席可能な定員を有する少なくとも１つのテーブルを前記第１のテーブル群に含ませた上で、所定の基準に基づいて、前記予約情報を前記第１のテーブル群の高順位のテーブルから順に一対一対応で関連付ける
制御部と、
前記予約情報に関連付けられたテーブルの情報を前記予約情報と併せて出力する出力部
を具備する
情報処理装置。
【請求項２】
請求項１に記載の情報処理装置であって、
前記制御部は、前記予約情報から取得する人数、客単価、予約時間、滞在時間、過去のサービス利用態様の中から選ばれる少なくとも１以上に基づいて、当該予約情報に含まれる前記優先度を算出する
情報処理装置。
【請求項３】
請求項１又は２に記載の情報処理装置であって、
前記制御部は、前記第１のテーブル群と前記第２のテーブル群を合わせたテーブル数と同数のグループの前記予約情報を前記受信部が受信した場合に、満席と判断する
情報処理装置。
【請求項４】
請求項１から３のいずれか１項に記載の情報処理装置であって、
前記記憶部は、利用可能な人数の最大数が異なる前記第１のテーブル群及び前記第２のテーブル群の情報を複数記憶し、
前記受信部は、前記グループの人数を含む前記予約情報を受信し、
前記制御部は、前記受信部が受信した前記予約情報に含まれる人数に応じて、複数の前記第１のテーブル群及び前記第２のテーブルの情報のうち、いずれかを選択し、選択した前記第１のテーブル群及び前記第２のテーブルの情報に含まれる前記第１のテーブル群のいずれかのテーブルに、受信した前記予約情報を関連付ける
情報処理装置。
【請求項５】
請求項１から４のいずれか１項に記載の情報処理装置であって、
前記受信部は、前記第１のテーブル群及び前記第２のテーブル群に含まれる１のテーブルを指定して分割する分割コマンドを受信し、
前記制御部は、前記分割コマンドにより指定された前記１のテーブルを２つのテーブルに分割し、分割後の２つのテーブルを含むように前記第１のテーブル群及び前記第２のテーブルの情報を更新し、前記記憶部に記憶させる
情報処理装置。
【請求項６】
１人以上の人がテーブルで提供を受けるサービスの予約を受け付ける情報処理装置であって、
１人以上の人を含むグループが前記サービスの提供を受けることを予約する予約情報を受信する受信部と、
前記サービスの提供に利用される、順序付けられた第１のテーブル群と、前記第１のテーブル群に空きがない場合に前記サービスの提供に利用され、前記第１のテーブル群に属するテーブルよりも順位が上のテーブルからなる第２のテーブル群の情報を記憶する記憶部と、
前記受信部が前記予約情報を受信すると、受信した前記予約情報に基づいて、受信した前記予約情報を前記第１のテーブル群の各順位のテーブルに関連付け、
前記予約情報を関連付けられるテーブルが前記第１のテーブル群の中にない場合に、既存の複数の前記予約情報の関連付けを解除し、
前記第２のテーブル群から、前記受信した予約情報に含まれる予約人数で着席可能な定員を有する少なくとも１つのテーブルを前記第１のテーブル群に含ませた上で、所定の基準に基づいて、前記予約情報を前記第１のテーブル群の高順位のテーブルから順に一対一対応で関連付ける
制御部と、
前記予約情報に関連付けられたテーブルの情報を前記予約情報と併せて出力する出力部
を具備する
情報処理装置。
【請求項７】
１人以上の人がテーブルで提供を受けるサービスの提供に利用される、順序付けられた第１のテーブル群と、前記第１のテーブル群に空きがある非混雑時には使用されず予備として扱われ前記第１のテーブル群に空きがない混雑時に使用される第２のテーブル群の情報を記憶する記憶部を具備する情報処理装置が実行する制御方法であって、
１人以上の人を含むグループが前記サービスの提供を受けることを予約する予約情報を受信するステップと、
前記受信するステップにて前記予約情報が受信されると、受信した前記予約情報に基づいて、受信した前記予約情報を前記第１のテーブル群の各順位のテーブルに関連付けるステップと、
前記予約情報を関連付けられるテーブルが前記第１のテーブル群の中にない場合に、既存の複数の前記予約情報の関連付けを解除するステップと、
前記第２のテーブル群から、前記受信した予約情報に含まれる予約人数で着席可能な定員を有する１つのテーブルを前記第１のテーブル群に含ませた上で、所定の基準に基づいて、前記予約情報を前記第１のテーブル群の高順位のテーブルから順に一対一対応で関連付けるステップと、
前記予約情報に関連付けられたテーブルの情報を前記予約情報と併せて出力するステップ
を含む
情報処理装置の制御方法。
【請求項８】
１人以上の人がテーブルで提供を受けるサービスの提供に利用される、順序付けられた第１のテーブル群と、前記第１のテーブル群に空きがない場合に前記サービスの提供に利用され、前記第１のテーブル群に属するテーブルよりも順位が上のテーブルからなる第２のテーブル群の情報を記憶する記憶部を具備する情報処理装置が実行する制御方法であって、
１人以上の人を含むグループが前記サービスの提供を受けることを予約する予約情報を受信するステップと、
前記受信するステップにて前記予約情報を受信されると、受信した前記予約情報に基づいて、受信した前記予約情報を前記第１のテーブル群の各順位のテーブルに関連付けるステップと、
前記予約情報を関連付けられるテーブルが前記第１のテーブル群の中にない場合に、既存の複数の前記予約情報の関連付けを解除するステップと、
前記第２のテーブル群から、前記受信した予約情報に含まれる予約人数で着席可能な定員を有する少なくとも１つのテーブルを前記第１のテーブル群に含ませた上で、所定の基準に基づいて、前記予約情報を前記第１のテーブル群の高順位のテーブルから順に一対一対応で関連付けるステップと、
前記予約情報に関連付けられたテーブルの情報を前記予約情報と併せて出力するステップ
を含む
情報処理装置の制御方法。
【請求項９】
１人以上の人が卓で提供を受けるサービスの提供に利用される、順序付けられた第１のテーブル群と、前記第１のテーブル群に空きがある非混雑時には使用されず予備として扱われ前記第１のテーブル群に空きがない混雑時に使用される第２のテーブル群の情報を記憶する記憶部を具備する情報処理装置に、
１人以上の人を含むグループが前記サービスの提供を受ける優先度を含む、前記グループの前記サービスの提供を受けることを予約する予約情報を受信するステップと、
前記受信するステップにて前記予約情報が受信されると、受信した前記予約情報に基づいて、受信した前記予約情報を前記第１のテーブル群の各順位のテーブルに関連付けるステップと、
前記予約情報を関連付けられるテーブルが前記第１のテーブル群の中にない場合に、既存の複数の前記予約情報の関連付けを解除するステップと、
前記第２のテーブル群から、前記受信した予約情報に含まれる予約人数で着席可能な定員を有する１つのテーブルを前記第１のテーブル群に含ませた上で、所定の基準に基づいて、前記予約情報を前記第１のテーブル群の高順位のテーブルから順に一対一対応で関連付けるステップと、
前記予約情報に関連付けられたテーブルの情報を前記予約情報と併せて出力するステップ
を実行させる
情報処理装置の制御プログラム。
【請求項１０】
１人以上の人がテーブルで提供を受けるサービスの提供に利用される、順序付けられた第１のテーブル群と、前記第１のテーブル群に空きがない場合に前記サービスの提供に利用され、前記第１のテーブル群に属するテーブルよりも順位が上のテーブルからなる第２のテーブル群の情報を記憶する記憶部を具備する情報処理装置に、
１人以上の人を含むグループが前記サービスの提供を受けることを予約する予約情報を受信するステップと、
前記受信するステップにて前記予約情報を受信されると、受信した前記予約情報に基づいて、受信した前記予約情報を前記第１のテーブル群の各順位のテーブルに関連付けるステップと、
前記予約情報を関連付けられるテーブルが前記第１のテーブル群の中にない場合に、既存の複数の前記予約情報の関連付けを解除するステップと、
前記第２のテーブル群から、前記受信した予約情報に含まれる予約人数で着席可能な定員を有する少なくとも１つのテーブルを前記第１のテーブル群に含ませた上で、所定の基準に基づいて、前記予約情報を前記第１のテーブル群の高順位のテーブルから順に一対一対応で関連付けるステップと、
前記予約情報に関連付けられたテーブルの情報を前記予約情報と併せて出力するステップ
を実行させる
情報処理装置の制御プログラム。